(57)【要約】【課題】アスファルトやコンクリートにより形成されている舗装路に高所作業車を停車させ、この高所作業車を使用して電柱に支持されている架空通信ケーブルに各種の作業を行うときに、舗装路を形成しているコンクリート部分に接地体を載置することにより、作業員の感電事故の発生を防止した、舗装路における接地装置とその接地方法を提供する。【解決手段】本発明に係る舗装路における接地装置は、舗装路のコンクリート部分に載置する導電性を有する金網と、金網に載せる保湿体により接地体を形成している。また、舗装路のコンクリート部分に載置する導電性を有する金網を備えている枠体と、枠体の金網に載せる保湿体と、枠体内の保湿体に対して上方から圧力を加える蓋体により接地体を形成している。一方、本発明に係る舗装路における接地方法は、導電性を有する金網を舗装路のコンクリート部分に載置する工程と、金網の上に保湿体を載せて接地体を形成する工程と、保湿体を湿潤させる工程と、から成る。【選択図】図２
2010033739.tif 000002
【特許請求の範囲】
【請求項１】
舗装路のコンクリート部分に載置する導電性を有する金網と、金網に載せる保湿体により接地体を形成していることを特徴とする舗装路における接地装置。
【請求項２】
舗装路のコンクリート部分に載置する導電性を有する金網を備えている枠体と、枠体の金網に載せる保湿体と、枠体内の保湿体に対して上方から圧力を加える蓋体により接地体を形成していることを特徴とする舗装路における接地装置。
【請求項３】
保湿体として、布部材を用いている請求項１または２に記載の舗装路における接地装置。
【請求項４】
導電性を有する金網を舗装路のコンクリート部分に載置する工程と、金網の上に保湿体を載せて接地体を形成する工程と、保湿体を湿潤させる工程と、から成ることを特徴とする舗装路における接地方法。
【請求項５】
保湿体を湿潤させる工程の後に、保湿体に対して上方から圧力を加えて、舗装路のコンクリート部分と保湿体との広い接触面を確実に確保する工程を含む請求項４に記載の舗装路における接地方法。
【発明の詳細な説明】
【技術分野】
【０００１】
本発明は、舗装路に沿って立設している複数の電柱に支持されている架空通信ケーブルに対して、高所作業車を使用して各種の作業を行うときに、作業員の感電事故の発生を防止するための、舗装路における接地装置とその接地方法に関するものである。
【背景技術】
【０００２】
従来より、各種の架空通信ケーブルが、舗装路に沿って立設している複数の電柱を介して支持されている。
【０００３】
このような舗装路に沿って立設している複数の電柱を介して支持されている架空通信ケーブル対して各種の作業を行うときは、舗装路において、所謂バケット車と称する高所作業車を使用している。
【０００４】
このとき、高所作業車を使用して、架空通信ケーブルに対して各種の作業を行っているときに作業員の感電事故が発生する危険性がある。
【０００５】
具体的には、作業員が高所作業車のバケットに乗り込んで架空通信ケーブルに対して各種の作業を行っているときに、例えば、バケットを持ち上げているアーム等が配電線に接触すると、舗装路に立っている作業員が高所作業車に触れている場合に、高所作業車と作業員を介して、配電線と舗装路との間に通電経路が生じてしまい、これによって作業員の人命に関わる感電事故が発生してしまう。
【０００６】
このような作業員の感電事故の発生を回避するためには、高所作業車自体に接地を施すことにより、高所作業車に触れている作業員を介しての通電経路の発生を最小限に抑止する必要がある。
【０００７】
具体的な接地手法としては、例えば、図１７に示すように、高所作業車Ｃにおける荷台の後部下面から延設されているケーブルＫに接続されている接地棒Ｂを地表Ｅに突き刺し、地表Ｅの下に存在する土壌部分Ｓに接地棒Ｂの先端部を埋め込んで接地が行われている。
【０００８】
また、接地を施す他の手法としては、特許文献１に開示されているように、ポリアクリル酸塩系、無水マレイン酸系、ポリエチレンオキサイド系の高吸水性材料より選択された一種以上をシート状とし、これに吸水させて接地体とし、この接地体を土壌部分Ｓに埋設して接地が行われている。
【０００９】
この接地体は、図１８（ａ）に示すように、長さＬ＝６０ｃｍ、幅Ｗ＝６０ｃｍ、厚さｔ＝１ｍｍ程度の接地シート３１を、深さｄ程度に土壌部分Ｓに埋め込んでいる。
【００１０】
また、図１８（ｂ）に示すように、接地シート３１を高吸水性材料３２により包み込んで接地体を形成し、この接地体を土壌部分Ｓに埋め込んでも良い。
【００１１】
そして、土壌部分Ｓに埋め込む深さｄを変え、また、接地シート３１の長さＬを変えて、電気抵抗測定器に接続されたリード線３３により接地抵抗を測定すると、接地シート３１の土壌部分Ｓに対する接地面積Ｓ＝Ｗ×Ｌを増加させたり、埋設の深さｄを増加させたときに、接地抵抗が減少する事実が判明している。
【特許文献１】特開平１−２８１６８５号公報
【発明の開示】
【発明が解決しようとする課題】
【００１２】
しかしながら、都市の作業現場となる地表Ｅは、その殆どが炭化水素の混合物で主に原油を蒸留することで得られる物質である「アスファルト」を含む物質で形成されるものや、セメントや砂利等に水や硬化剤を混ぜて固め合わせた「コンクリート」により形成されている。
【００１３】
そのため、地表Ｅに接地棒Ｒを突き刺して接地棒Ｂの先端部を土壌部分Ｓに埋め込む接地手法（図１７参照）や、接地シート３１を土壌部分Ｓに埋め込む接地手法（図１８参照）においては、地表Ｅがアスファルトやコンクリートにより形成されている場合は、この地表Ｅを掘削機等を使って掘削してから接地棒Ｂを土壌部分Ｓに埋設しなければならず、高所作業車Ｃを介して架空通信ケーブル対して各種の作業を行うときの接地作業が非常に面倒であり、また、接地作業に時間を費やしていた。
【００１４】
特に、特許文献１に開示されている接地手法（図１８参照）では、アスファルト部分やコンクリート部分を掘削機等を使って掘削することに加え、土壌部分Ｓも掘削して接地シート３１を土壌部分Ｓに埋め込まなければならないため、接地作業が非常に面倒であった。
【００１５】
また、高所作業車Ｃを介して架空通信ケーブル対して各種の作業を行った後には、再び掘削して接地シート３１を土壌部分Ｓから掘り出す必要があり、掘削したアスファルト部分やコンクリート部分も元の状態に戻さなければならないため、接地作業の全体が長時間となり、作業効率が悪くなっていた。
【００１６】
また、地表Ｅが土壌で形成されている場合であっても、一時的な作業のために土壌を掘削して接地棒Ｂや接地体を埋設する必要があり、作業効率は悪くなっていた。
【００１７】
さらに、都市部では地表Ｅがアスファルトやコンクリートにより形成されている場合が多く、接地体を埋設する土壌が作業現場付近になく、接地を施すことができない事態も生じていた。
【００１８】
そこで、本発明は如上のような従来存した諸事情に鑑み創出されたもので、アスファルトやコンクリートにより形成されている舗装路に高所作業車を停車させ、この高所作業車を使用して電柱に支持されている架空通信ケーブルに各種の作業を行うときに、舗装路を形成しているコンクリート部分に接地体を載置することにより、作業員の感電事故の発生を防止した、舗装路における接地装置とその接地方法を提供することを目的とする。
【課題を解決するための手段】
【００１９】
本発明に係る舗装路における接地装置は、舗装路のコンクリート部分に載置する導電性を有する金網と、金網に載せる保湿体により接地体を形成していることで、上述した課題を解決した。
【００２０】
また、舗装路のコンクリート部分に載置する導電性を有する金網を備えている枠体と、枠体の金網に載せる保湿体と、枠体内の保湿体に対して上方から圧力を加える蓋体により接地体を形成していることで、同じく上述した課題を解決した。
【００２１】
さらに、保湿体として、布部材を用いていることで、同じく上述した課題を解決した。
【００２２】
この他、本発明に係る舗装路における接地方法は、導電性を有する金網を舗装路のコンクリート部分に載置する工程と、金網の上に保湿体を載せて接地体を形成する工程と、保湿体を湿潤させる工程と、から成ることで、同じく上述した課題を解決した。
【００２３】
また、保湿体を湿潤させる工程の後に、保湿体に対して上方から圧力を加えて、舗装路のコンクリート部分と保湿体との広い接触面を確実に確保する工程を含むことで、同じく上述した課題を解決した。
【発明の効果】
【００２４】
本発明に係る舗装路における接地装置は、舗装路のコンクリート部分に載置する導電性を有する金網と、金網に載せる保湿体により接地体を形成していることから、舗装路のアスファルト部分やコンクリート部分を掘削機を使って掘削する必要がなく、また、付近に接地体を埋設する土壌がなくても、単に舗装路のコンクリート部分に金網を載置し、この金網に保湿体を載せて保湿体を湿潤させるだけで、確実な接地を施すことができる。
【００２５】
そのため、作業員が高所作業車のバケットに乗り込んで架空通信ケーブルに対して各種の作業を行っている最中に、万が一バケットを持ち上げているアーム等が配電線に接触し、且つ舗装路に立っている作業員が高所作業車に触れている場合であっても、配電線と舗装路との間に作業員を介しての通電経路が生じることがなく、これによって作業員の人命に関わる感電事故の発生を確実に回避しているのである。
【００２６】
すなわち、本発明は、舗装路を形成しているコンクリート部分が導電性を有していることに着目し、舗装路のコンクリート部分に金網を載置し、この金網に保湿体を載せて保湿体を湿潤させることにより、確実な接地を施しているのである。
【００２７】
また、接地を施すときに、単に舗装路のコンクリート部分に金網を載置し、この金網に保湿体を載せて保湿体を湿潤させるだけで良く、掘削機を使ってアスファルト部分やコンクリート部分を掘削する必要がなく、さらには、アスファルト部分やコンクリート部分の下に存在する土壌部分も掘削する必要がないことから、極めて短時間で確実な接地を施して、全体の作業効率を向上させることができる。
【００２８】
さらに、舗装路のコンクリート部分に載置する導電性を有する金網を備えている枠体と、枠体の金網に載せる保湿体と、枠体内の保湿体に対して上方から圧力を加える蓋体により接地体を形成していることから、接地装置を容易且つ安価に製作することができる。
【００２９】
また、枠体内の保湿体に対して上方から圧力を加える蓋体を備えているので、保湿体を湿潤させて蓋体により上方から圧力を加えたときには、舗装路のコンクリート部分と保湿体との広い接触面を確実に確保することができる。
【００３０】
その為、作業員が高所作業車のバケットに乗り込んで架空通信ケーブルに対して各種の作業を行っている最中に、万が一バケットを持ち上げているアーム等が配電線に接触し、且つ舗装路に立っている作業員が高所作業車に触れている場合であっても、配電線と舗装路との間に作業員を介しての通電経路が生じることがない。
【００３１】
加えて、保湿体として、布部材を用いていることから、接地装置を容易且つ安価に製作することができる。
【００３２】
一方、本発明に係る舗装路における接地方法は、導電性を有する金網を舗装路のコンクリート部分に載置する工程と、金網の上に保湿体を載せて接地体を形成する工程と、保湿体を湿潤させる工程と、から成ることから、舗装路のアスファルト部分やコンクリート部分を掘削機を使って掘削する必要がなく、また、付近に接地体を埋設する土壌がなくても、単に舗装路のコンクリート部分に金網を載置し、この金網に保湿体を載せて保湿体を湿潤させるだけで、確実な接地を施すことができる。
【００３３】
また、保湿体を湿潤させる工程の後に、保湿体に対して上方から圧力を加えて、舗装路のコンクリート部分と保湿体との広い接触面を確実に確保する工程を含むことから、より確実な接地を施すことができる。
【００３４】
すなわち、作業員が高所作業車のバケットに乗り込んで架空通信ケーブルに対して各種の作業を行っている最中に、万が一バケットを持ち上げているアーム等が配電線に接触し、且つ舗装路に立っている作業員が高所作業車に触れている場合であっても、配電線と舗装路との間に作業員を介しての通電経路が生じることが全く無くなるのである。
【発明を実施するための最良の形態】
【００３５】
以下に、本発明を実施するための最良の形態を、図面を参照して説明する。
【００３６】
本発明に係る舗装路Ｒにおける接地装置とその接地方法は、いずれも接地体１を主要な構成要素としている。
【００３７】
この接地体１は、図１に示すように、高所作業車Ｃにおける荷台の後部下面から延設されているケーブルＫに接続されている。
【００３８】
一方、舗装路Ｒは、図２（ａ）に示すように、アスファルト部分２０と、アスファルト部分２０の長手方向に沿ってアスファルト部分２０の両側に設けられているコンクリート部分２１により形成されている。尚、舗装路Ｒは、コンクリート部分２１に沿って、歩道２２を備えている場合もある。
【００３９】
舗装路Ｒのコンクリート部分２１は、図２（ａ）・（ｂ）に示すように、横Ｌ字型の複数のブロック体を連設して形成している。尚、コンクリート部分２１は、所謂側溝として機能するものも含んでいる。
【００４０】
そして、本発明の特徴は、図２（ａ）・（ｂ）に示すように、高所作業車Ｃの接地体１を、舗装路Ｒのコンクリート部分２１に載置する点にある。
【００４１】
接地体１の主要な構成としては、図２（ｃ）に示すように、舗装路Ｒのコンクリート部分２１に載置する導電性を有する金網２と、金網２に載せる所定の保湿体３を備えている。
【００４２】
また、接地体１の具体的な構成としては、図３（ａ）・（ｂ）に示すように、下面の開口側に導電性を有する金網２を固定している枠体４と、枠体４内において金網２の上に載せる吸水可能な保湿体３と、枠体４の開口空間において上下に移動可能に配置した蓋体５を備えている。
【００４３】
枠体４は、例えば、約３５０ｍｍ×２００ｍｍ程度の矩形枠状に形成されている。また、枠体４は、８０ｍｍ程度の高さを有している。この枠体４は、木製・プラスチック製・合成樹脂製等の絶縁性素材により形成されている。
【００４４】
枠体４に固定されている金網２は、例えば、ステンレス製・銅製等の導電性を有する金属により形成されている。
【００４５】
蓋体５は、図３（ａ）・（ｂ）に示すように、矩形板状に形成され、枠体４の開口空間をほぼ閉鎖する大きさを有している。この蓋体５は、図３（ｂ）に示すように、枠体４の上面の開口側から挿入されて、金網２の上に載せられている保湿体３に対して上方から均等に圧力を加えるものである。また、枠体４の開口空間を蓋体５によりほぼ密閉状態となるように閉鎖することから、保湿体３の乾燥も抑制している。
【００４６】
保湿体３は、通水性を備えている合成樹脂製・綿布製・不織布等のネット袋の内部に、接地抵抗低減材を封入して形成しても良い。この接地抵抗低減材は、腐食しない高吸水性材料として、例えば、ポリアクリル酸塩系、無水マレイン酸系、ポリエチレンオキサイド系等の電気伝導度の良好な高吸水性ポリマーや、炭素繊維や石炭灰を併用することで接地抵抗低減性能を向上させたものである。
【００４７】
抵抗低減材そのものとしては、例えば、イソブチレン、無水マレイン酸共重合物のナトリウム塩架橋物、塩化ナトリウム等を主成分としている。これらの接地抵抗低減材を封入しているネット袋に、水道水やイオン性水溶液を加えて、湿潤した保湿体３を形成するのである。
【００４８】
尚、接地抵抗低減材をネット袋に封入している保湿体３は、水道水やイオン性水溶液を再度加えることにより、再利用が可能となっている。
【００４９】
さらに、図３（ａ）・（ｂ）に示すように、枠体４の左右両サイドには、板片状の取っ手６が設けられている。また、枠体４の下面の開口側には、金網２の周囲に付設された矩形枠状の取付枠７が外嵌されており、この取付枠７により枠体４の下面の開口側に金網２を固定している。
【００５０】
この他、蓋体５における上面の左右対称位置には、板片状の把持部８が設けられている。この把持部８は、蓋体５により保湿体３に対して上方から均等に圧力を加えた後に、湿潤している保湿体３に付着している蓋体５を、この把持部８を手に持って枠体４の上方に引き出すためのものである。
【００５１】
また、図３（ａ）に示すように、蓋体５における角部の一箇所には、扇形状の切欠部９が設けられている。この切欠部９を介して、金網２に接続されている接地線１０を枠体４の外側に引き出し、高所作業車ＣのケーブルＫに接続するのである。
【００５２】
以下に、舗装路Ｒにおける高所作業車Ｃを使用した作業時の接地方法を詳述する。
【００５３】
（導電性を有する金網を舗装路のコンクリート部分に載置する工程と、金網の上に保湿体を載せて接地体を形成する工程）
【００５４】
まず、図４に示すように、蓋体５を取り外した状態において、枠体４に固定している金網２を、舗装路Ｒのコンクリート部分２１に接するように配置する。このとき、図１・図４に示すように、金網２に接続されている接地線１０を枠体４の外側に引き出し、高所作業車ＣのケーブルＫに接続しておく。
【００５５】
次に、図５に示すように、保湿体３を、枠体４内の金網２上に隙間無く載せて
ゆく。
【００５６】
（保湿体を湿潤させる工程）
【００５７】
次に、図６に示すように、ポリタンクＰ内に入っている水道水又はイオン性水溶液を、複数の保湿体３に均一に振り掛けて、全ての保湿体３を充分に湿潤させる。
【００５８】
（保湿体に対して上方から圧力を加えて、舗装路のコンクリート部分と保湿体との広い接触面を確実に確保する工程）
【００５９】
次に、図７に示すように、枠体４の上面の開口側から蓋体５を挿入し、枠体４の開口空間を蓋体５によりほぼ密閉状態となるように閉鎖する。このとき、蓋体５の角部に設けている切欠部９から接地線１０を外側に引き出した状態とする。
【００６０】
次に、図８に示すように、水道水又はイオン性水溶液の入っているポリタンクＰを蓋体５の上に載せることにより、この蓋体５を介して保湿体３に対して上方から均一に圧力を加える。
【００６１】
すると、保湿体３は、蓋体５により押されてその全体が横方向に拡がることから、舗装路Ｒのコンクリート部分２１と保湿体３との広い接触面が確実に確保される。このとき、保湿体３に吸着されている水道水又はイオン性水溶液は、金網２を介して漏洩することから、確実な接地用の導電路が形成されることになる。
【００６２】
尚、高所作業車Ｃを使用した作業が終了したときには、舗装路Ｒのコンクリート部分２１から、保湿体３を内包している枠体４を撤去する。このとき、舗装路Ｒのコンクリート部分２１には、保湿体３から漏洩した水道水又はイオン性水溶液が僅かに残る程度の状態となる。
【００６３】
この他、図９乃至図１２には、接地体１の他の構成例が示されている。
【００６４】
尚、図９乃至図１２に示す接地体１は、基本的に前記した図３乃至図８に示す接地体１とほぼ同様に構成されていることから、その構成が同じ部分には同一の符号を付すことにより、その詳細な説明を省略する。
【００６５】
図９乃至図１２に示す接地体１の特徴は、枠体４が、例えば、約２００ｍｍ×２００ｍｍ程度の正方形の枠状に形成され、３０ｍｍ程度の高さを有している点と、保湿体３として、タオル等の布部材を用いている点にある。
【００６６】
以下に、図９乃至図１２に示す接地体１を用いた接地方法を詳述する。
【００６７】
（導電性を有する金網を舗装路のコンクリート部分に載置する工程と、金網の上に保湿体を載せて接地体を形成する工程）
【００６８】
まず、図９に示すように、蓋体５を取り外した状態において、枠体４に固定している金網２を、舗装路Ｒのコンクリート部分２１に接するように配置する。このとき、図１・図９に示すように、金網２に接続されている接地線１０を枠体４の外側に引き出し、高所作業車ＣのケーブルＫに接続しておく。
【００６９】
次に、図１０に示すように、布部材を用いている保湿体３を、枠体４内の金網
２の上に載せる。この保湿体３は、所定の厚みを有し、また、枠体４内の金網２
の全体に接する大きさを備えている。
【００７０】
（保湿体を湿潤させる工程）
【００７１】
次に、ポリタンクＰ内に入っている塩水等の電解質溶液又は水道水等を、布部材を用いている保湿体３に均一に振り掛けて、保湿体３の全体を充分に湿潤させる。
【００７２】
（保湿体に対して上方から圧力を加えて、舗装路のコンクリート部分と保湿体との広い接触面を確実に確保する工程）
【００７３】
次に、図１１に示すように、枠体４の上面の開口側から蓋体５を挿入し、枠体４の開口空間を蓋体５によりほぼ密閉状態となるように閉鎖する。このとき、蓋体５の角部に設けている切欠部９から接地線１０を外側に引き出した状態とする。
【００７４】
次に、図１２に示すように、塩水等の電解質溶液又は水道水等が入っているポリタンクＰを蓋体５の上に載せることにより、この蓋体５を介して保湿体３に対して上方から均一に圧力を加える。
【００７５】
すると、布部材を用いている保湿体３は、蓋体５により押されてその全体がコンクリート部分２１に強く押し付けられるため、舗装路Ｒのコンクリート部分２１と保湿体３との広い接触面が確実に確保される。このとき、保湿体３に吸着されている水道水又はイオン性水溶液は、金網２を介してコンクリート部分２１に漏洩することから、確実な接地用の導電路が形成されることになる。
【００７６】
以下に、上記のように構成された接地体１（図３乃至図８に示す接地体１と、図９乃至図１２に示す接地体１）を使用した場合の、試験結果について説明する。
【００７７】
図１３には、図３乃至図８に示す接地体１を使用して、１０箇所の接地場所における接地抵抗の測定結果が示されている。
【００７８】
すなわち、金網２がステンレス製である接地体１を舗装路Ｒのコンクリート部分２１に設置した場合、金網２が銅製である接地体１を舗装路Ｒのコンクリート部分２１に設置した場合、従来の接地棒Ｂを土壌部に差し込んだ場合のそれぞれの試験結果が示されている。
【００７９】
そして、１０箇所の設置場所における接地抵抗の平均は、金網２がステンレス製である場合には約２９０Ω、金網２が銅製である場合には約２９６Ω、接地棒Ｂである場合には約４１８．５Ωであった。
【００８０】
この結果から、接地抵抗低減材を封入している保湿体３を使用することにより、土壌に接地棒Ｂを打設する従来の手法と比較して、同等以上の接地抵抗値を得ることが判明した。
【００８１】
図１４には、図９乃至図１２に示す接地体１を使用した場合の接地抵抗の測定結果が示されている。
【００８２】
具体的には、従来の接地棒Ｂによる接地抵抗値（１０回測定平均＝４１９Ω）、接地抵抗低減材を封入した保湿体３を使った接地抵抗値（２０回測定平均＝２９３Ω）、塩化ナトリウムによる電解質溶液（濃度５％）のＤ種接地工事の要件である接地抵抗値（１００Ω）と共に、接地体１の３箇所の接地場所における電解質溶液濃度と接地抵抗値との相関関係が示されている。
【００８３】
この結果から、場所による差異が有るものの、傾向はどれも同じで、電解質溶液濃度を高くすればするほど接地抵抗値は下がるが、電解質溶液の濃度を上げたときの接地抵抗値の減少幅は次第に小さくなることが確認された。
【００８４】
図１５・図１６にも、図９乃至図１２に示す接地体１を使用した場合の接地抵抗の測定結果が示されている。
【００８５】
図１５には、金網２としてステンレス製および亜鉛製の材料を使用し、それぞれの保湿体３に吸着させた電解質溶液の濃度が０％、１％、５％の場合において、各接地面積を２００平方ｃｍずつ拡大させた場合の接地抵抗値の変化が示されている。
【００８６】
この結果から、金網2がステンレス製および亜鉛製の材料で電解質溶液の濃度が５％の場合では、接地面積の広い範囲で低い接地抵抗が維持されていることが確認された。
【００８７】
図１６には、金網2としてステンレス製および亜鉛製の材料を使用し、各接地面積が４００平方ｃｍ、７００平方ｃｍ、および各４値の平均との場合において、塩化ナトリウムによる電解質溶液濃度と、接地抵抗値との関係を示している。
【００８８】
この結果から、ステンレス製の場合では接地面積７００平方ｃｍの接地抵抗値、亜鉛の場合では接地面積４００平方ｃｍの接地抵抗値が共に低い傾向にあり、接地面積の大小と接地抵抗との間に相関性は見られないことから、ある程度の接地面積を確保できていれば、当該接地面積の大小が接地抵抗に与える影響が小さくなることが確認された。
【産業上の利用可能性】
【００８９】
本発明に係る舗装路における接地装置とその接地方法は、高所作業車を使用した架空通信ケーブルに対する種々の作業時における作業員の感電防止用のために使用することの他に、様々な作業現場における作業員の感電防止用の接地装置とその接地方法として、幅広く利用することができる。
【図面の簡単な説明】
【００９０】
【図１】高所作業車における荷台の後部下面から延設されているケーブルに接地体が接続されており、この接地体が舗装路に置かれている状態を示す側面図である。
【図２】舗装路と接地体の主要な構成を示すもので、（ａ）は舗装路のコンクリート部分に接地体が置かれている状態を示す平面図、（ｂ）は（ａ）におけるＸ−Ｘ線部分の断面図、（ｃ）は舗装路のコンクリート部分に金網が置かれ、この金網の上に保湿体が載せられている接地体の構成を示す断面図である。
【図３】接地体の具体的な構成を示すもので、（ａ）は枠体と、枠体内において上下に移動可能に配置した蓋体を備えている接地体の構成を示す平面図、（ｂ）は（ａ）におけるＹ−Ｙ線部分の断面図であり、具体的には、枠体の下面の開口側に固定している金網に複数の保湿体を配置している状態を示す断面図である。
【図４】蓋体を取り外した状態において、枠体に固定している金網を舗装路のコンクリート部分に接するように配置している状態を示す斜視図である。
【図５】ネット袋の内部に電気抵抗低減材を封入して成る複数の保湿体を、枠体内の金網の上に隙間無く載せている状態を示す斜視図である。
【図６】ポリタンク内に入っている水道水又はイオン性水溶液を、複数の保湿体に均一に振り掛けて、全ての保湿体を充分に湿潤させている状態を示す斜視図である。
【図７】枠体の上面の開口側から蓋体を挿入し、枠体の開口空間を蓋体によりほぼ密閉状態となるように閉鎖している状態を示す斜視図である。
【図８】水道水又はイオン性水溶液の入っているポリタンクを蓋体の上に載せ、蓋体を介して保湿体に対して上方から均一に圧力を加えている状態を示す斜視図である。
【図９】他の構成の接地体において、蓋体を取り外して、枠体に固定している金網を舗装路のコンクリート部分に接するように配置している状態を示す斜視図である。
【図１０】他の構成の接地体において、布部材を用いている保湿体を、枠体内の金網の上に載せている状態を示す斜視図である。
【図１１】他の構成の接地体において、枠体の上面の開口側から蓋体を挿入し、枠体の開口空間を蓋体によりほぼ密閉状態となるように閉鎖している状態を示す斜視図である。
【図１２】他の構成の接地体において、塩水等の電解質溶液又は水道水等が入っているポリタンクを蓋体の上に載せることにより、この蓋体を介して布部材を用いている保湿体に対して上方から均一に圧力を加えている状態を示す斜視図である。
【図１３】図３乃至図８に示す接地体を使用して、１０箇所の接地場所における接地抵抗の測定結果が示されている。具体的には、金網がステンレス製である接地体を舗装路のコンクリート部分に設置した場合、金網が銅製である接地体を舗装路のコンクリート部分に設置した場合、従来の接地棒を土壌部に差し込んだ場合のそれぞれの試験結果をグラフで示した図である。
【図１４】図９乃至図１２に示す接地体を使用した場合の接地抵抗の測定結果が示されている。具体的には、従来の接地棒による接地抵抗値（１０回測定平均＝４１９Ω）、電気抵抗低減材を封入した保湿体を使った接地抵抗値（２０回測定平均＝２９３Ω）、塩化ナトリウムによる電解質溶液（濃度５％）のＤ種接地工事の要件である接地抵抗値（１００Ω）と共に、接地体１の３箇所の接地場所における電解質溶液濃度と接地抵抗値との相関関係をグラフで示した図である。
【図１５】図９乃至図１２に示す接地体を使用した場合の接地抵抗の測定結果が示されている。具体的には、金網としてステンレス製および亜鉛製の材料を使用し、それぞれの保湿体に吸着させた電解質溶液の濃度が０％、１％、５％の場合において、各接地面積を２００平方ｃｍずつ拡大させた場合の接地抵抗値の変化をグラフで示した図である。
【図１６】図９乃至図１２に示す接地体を使用した場合の接地抵抗の測定結果が示されている。具体的には、金網としてステンレス製および亜鉛製の材料を使用し、各接地面積が４００平方ｃｍ、７００平方ｃｍ、および各４値の平均との場合において、塩化ナトリウムによる電解質溶液濃度と、接地抵抗値との関係をグラフで示す図である。
【図１７】高所作業車における荷台の後部下面から延設されているケーブルに接続されている接地棒を舗装路に突き刺し、舗装路の下に存在する土壌部分に接地棒の先端部を埋め込んで接地が行われている従来の接地手法を示す側面図である。
【図１８】従来の接地手法を示すもので、（ａ）は接地シートを所定の深さの大地に埋め込んでいる状態を示す側面図、（ｂ）は高吸水性材料により包み込んでいる接地シートを大地に埋め込んでいる状態を示す側面図である。
【符号の説明】
【００９１】
Ｃ…高所作業車
Ｋ…ケーブル
Ｂ…接地棒
Ｒ…舗装路
Ｅ…地表
Ｓ…土壌部分
１…接地体
２…金網
３…保湿体
４…枠体
５…蓋体
６…取っ手
７…取付枠
８…把持部
９…切欠部
１０…接地線
２０…アスファルト部分
２１…コンクリート部分
２２…歩道
３１…接地シート
３２…高吸水性材料
３３…リード線
【図１】
2010033739.tif 000003
【図２】
2010033739.tif 000004
【図３】
2010033739.tif 000005
【図４】
2010033739.tif 000006
【図５】
2010033739.tif 000007
【図６】
2010033739.tif 000008
【図７】
2010033739.tif 000009
【図８】
2010033739.tif 000010
【図９】
2010033739.tif 000011
【図１０】
2010033739.tif 000012
【図１１】
2010033739.tif 000013
【図１２】
2010033739.tif 000014
【図１３】
2010033739.tif 000015
【図１４】
2010033739.tif 000016
【図１５】
2010033739.tif 000017
【図１６】
2010033739.tif 000018
【図１７】
2010033739.tif 000019
【図１８】
2010033739.tif 000020